(57)【要約】【課題】ユーザーが蓋固定ネジを締めない場合にも、蓋固定ネジの頭部が頭部の周囲に設けた凸部から突出しない状態で、蓋を閉じることができる携帯機器を提供する。【解決手段】装置ケースと、蓋固定ネジ挿入孔６７が設けられ、装置ケースにネジ止めされた電池蓋６と、蓋固定ネジ挿入孔６７から抜けない状態で蓋固定ネジ挿入孔６７に挿入されており、電池蓋６を装置ケースにネジ止めする蓋固定ネジ６０と、電池蓋６の外面において、蓋固定ネジ６０の頭部６０１の周囲に設けられ、蓋固定ネジ６０の頭部６０１の高さｈ２よりも高い第１蓋側凸部６５と、蓋固定ネジ６０と螺嵌し、蓋固定ネジ６０の回転により蓋固定ネジ６０の軸方向に移動するナット１２０とを備えた。【選択図】図９
2017222115.tif 000002
【特許請求の範囲】
【請求項１】
装置ケースと、
蓋固定ネジ挿入孔が設けられ、前記装置ケースにネジ止めされた蓋と、
前記蓋固定ネジ挿入孔から抜けない状態で前記蓋固定ネジ挿入孔に挿入されており、前記蓋を前記装置ケースにネジ止めする蓋固定ネジと、
前記蓋の外面において、前記蓋固定ネジの頭部の周囲に設けられ、前記蓋固定ネジの頭部の高さよりも高い凸部と、
前記蓋固定ネジと螺嵌し、前記蓋固定ネジの回転により前記蓋固定ネジの軸方向に移動する雌ネジ部材と、
を備えたことを特徴とする携帯機器。
【請求項２】
前記雌ネジ部材は、ナットであり、
前記ナットが収容されたナット収容部、をさらに備え、
前記ナット収容部は、前記蓋固定ネジが回転した際に、前記ナットが前記蓋固定ネジと連れ回りすることを抑制し、前記ナットが前記蓋固定ネジの軸方向へ移動するようにガイドすることを特徴とする請求項１に記載の携帯機器。
【請求項３】
前記凸部は、前記携帯機器が載置面に載せ置かれた状態で、前記載置面と接することを特徴とする請求項１または２に記載の携帯機器。
【請求項４】
前記蓋の一の端部には、蓋側第１係合部が設けられ、前記蓋の一の端部とは反対側の端部には、蓋側第２係合部が設けられ、
前記装置ケースには、前記蓋側第１係合部と係合するケース側第１係合部と、前記蓋側第２係合部と係合するケース側第２係合部とが設けられ、
前記蓋は、前記蓋側第１係合部が前記ケース側第１係合部と係合した状態で、前記蓋側第２係合部が前記ケース側第２係合部と係脱することで、開閉されることを特徴とする請求項１ないし３のいずれか一項に記載の携帯機器。
【請求項５】
前記蓋は、先端に前記蓋側第１係合部が設けられた第１蓋部と、前記第１蓋部の基端側に連なり、先端に前記蓋側第２係合部が設けられた第２蓋部と、を有し、
前記蓋固定ネジ挿入孔は、前記第１蓋部において、先端よりも基端に近い位置に設けられていることを特徴とする請求項４に記載の携帯機器。
【請求項６】
電池が収容される電池収容部、をさらに備え、
前記蓋は、前記電池収容部を覆うことを特徴とする請求項１ないし５のいずれか一項に記載の携帯機器。
【請求項７】
携帯可能なテープ印刷装置であって、
装置ケースと、
蓋固定ネジ挿入孔が設けられ、前記装置ケースにネジ止めされた蓋と、
前記蓋固定ネジ挿入孔から抜けない状態で前記蓋固定ネジ挿入孔に挿入されており、前記蓋を前記装置ケースにネジ止めする蓋固定ネジと、
前記蓋の外面において、前記蓋固定ネジの頭部の周囲に設けられ、前記蓋固定ネジの頭部の高さよりも高い凸部と、
前記蓋固定ネジと螺嵌し、前記蓋固定ネジの回転により前記蓋固定ネジの軸方向に移動する雌ネジ部材と、
テープに印刷を行う印刷部と、
を備えたことを特徴とするテープ印刷装置。
【発明の詳細な説明】
【技術分野】
【０００１】
本発明は、ネジ止めされる蓋を備えた携帯機器およびテープ印刷装置に関するものである。
【背景技術】
【０００２】
テープ印刷装置の一つであるハンディ型印字ラベル作成装置を例に説明する。ハンディ型印字ラベル作成装置のなかには、前カバーと、後カバーとを備え、後カバーが、後カバー本体と、カートリッジや乾電池を着脱する際に後カバー本体より取り外し可能な着脱カバーとで構成されたものが知られている。このハンディ型印字ラベル作成装置の着脱カバーは、着脱カバーに設けられたロック部材が後カバー本体に設けられたロック穴に嵌め込まれることにより、後カバー本体に取り付けられるが、後カバー本体にネジ止めされるものではない（特許文献１参照）。
【先行技術文献】
【特許文献】
【０００３】
【特許文献１】特開２０１０−２７４６３８号公報
【発明の概要】
【発明が解決しようとする課題】
【０００４】
ユーザーが携帯機器を携帯中に誤って落下させた場合、蓋が装置ケースから外れることがある。このため、蓋を装置ケースにネジ止めすることが考えられる。この場合、蓋を装置ケースにネジ止めする蓋固定ネジの紛失を防止すべく、蓋固定ネジが蓋の蓋固定ネジ挿入孔から抜け落ちない構成を備えていることが好ましい。また、蓋固定ネジの頭部が当該携帯機器から突出し、蓋に近接する物に当たることによって、その物にキズを付けることを抑制すべく、蓋固定ネジの頭部の周囲に頭部の高さよりも高い凸部を設けることが好ましい。このような携帯機器において、ユーザーが蓋固定ネジを締めない限り蓋を閉じることができないと、携帯機器を落下させるおそれの少ない態様で携帯機器を使用する場合にも、蓋を開閉するたびに蓋固定ネジを緩めたり締めたりしなければならず、不便である。また、ユーザーが蓋固定ネジを締めることなく蓋を閉じた場合に、蓋固定ネジの頭部が凸部から突出していると、蓋固定ネジの頭部が蓋に近接する物に当たって、その物にキズを付けるおそれがある。
【０００５】
本発明は、ユーザーが蓋固定ネジを締めない場合にも、蓋固定ネジの頭部が頭部の周囲に設けた凸部から突出しない状態で、蓋を閉じることができる携帯機器およびテープ印刷装置を提供することを課題としている。
【課題を解決するための手段】
【０００６】
本発明の携帯機器は、装置ケースと、蓋固定ネジ挿入孔が設けられ、装置ケースにネジ止めされた蓋と、蓋固定ネジ挿入孔から抜けない状態で蓋固定ネジ挿入孔に挿入されており、蓋を装置ケースにネジ止めする蓋固定ネジと、蓋の外面において、蓋固定ネジの頭部の周囲に設けられ、蓋固定ネジの頭部の高さよりも高い凸部と、蓋固定ネジと螺嵌し、蓋固定ネジの回転により蓋固定ネジの軸方向に移動する雌ネジ部材と、を備えたことを特徴とする。
【０００７】
本発明のテープ印刷装置は、携帯可能なテープ印刷装置であって、装置ケースと、蓋固定ネジ挿入孔が設けられ、装置ケースにネジ止めされた蓋と、蓋固定ネジ挿入孔から抜けない状態で蓋固定ネジ挿入孔に挿入されており、蓋を装置ケースにネジ止めする蓋固定ネジと、蓋の外面において、蓋固定ネジの頭部の周囲に設けられ、蓋固定ネジの頭部の高さよりも高い凸部と、蓋固定ネジと螺嵌し、蓋固定ネジの回転により蓋固定ネジの軸方向に移動する雌ネジ部材と、テープに印刷を行う印刷部と、を備えたことを特徴とする。
【０００８】
この構成によれば、雌ネジ部材が、蓋固定ネジの回転により蓋固定ネジの軸方向に移動するため、蓋固定ネジが緩められた状態では、蓋固定ネジが締められた状態に比べ、雌ネジ部材が蓋から離れた位置に移動している。これにより、ユーザーが蓋固定ネジを締めることなく蓋を閉じる際に、蓋が閉じる前に蓋固定ネジの先端が雌ネジ部材に当たることが抑制され、蓋を閉じることができる。また、雌ネジ部材が、蓋固定ネジの回転により蓋固定ネジの軸方向に移動するため、蓋固定ネジが緩められた状態でも、蓋固定ネジの頭部が蓋からあまり離れることがない。このため、ユーザーが蓋固定ネジを締めることなく蓋を閉じた場合に、蓋固定ネジの頭部が凸部から突出することが抑制される。したがって、ユーザーが蓋固定ネジを締めない場合にも、蓋固定ネジの頭部が凸部から突出しない状態で、蓋を閉じることができる。
【０００９】
この場合、雌ネジ部材は、ナットであり、ナットが収容されたナット収容部、をさらに備え、ナット収容部は、蓋固定ネジが回転した際に、ナットが蓋固定ネジと連れ回りすることを抑制し、ナットが蓋固定ネジの軸方向へ移動するようにガイドすることが好ましい。
【００１０】
この構成によれば、簡易な構成により、雌ネジ部材であるナットが、蓋固定ネジの回転により蓋固定ネジの軸方向に移動するようにすることができる。
【００１１】
この場合、凸部は、携帯機器が載置面に載せ置かれた状態で、載置面と接することが好ましい。
【００１２】
この構成によれば、ユーザーが蓋固定ネジを締めることなく蓋を閉じた後、携帯機器を載置面に載せ置いた場合に、蓋固定ネジの頭部が載置面に当たって載置面にキズを付けることを抑制することができる。
【００１３】
この場合、蓋の一の端部には、蓋側第１係合部が設けられ、蓋の一の端部とは反対側の端部には、蓋側第２係合部が設けられ、装置ケースには、蓋側第１係合部と係合するケース側第１係合部と、蓋側第２係合部と係合するケース側第２係合部とが設けられ、蓋は、蓋側第１係合部がケース側第１係合部と係合した状態で、蓋側第２係合部がケース側第２係合部と係脱することで、開閉されることが好ましい。
【００１４】
この構成によれば、蓋固定ネジを締めなくても、蓋が閉じた状態に保つことができる。
【００１５】
この場合、蓋は、先端に蓋側第１係合部が設けられた第１蓋部と、第１蓋部の基端側に連なり、先端に蓋側第２係合部が設けられた第２蓋部と、を有し、蓋固定ネジ挿入孔は、第１蓋部において、先端よりも基端に近い位置に設けられていることが好ましい。
【００１６】
この構成によれば、蓋固定ネジ挿入孔が第１蓋部の基端よりも先端に近い位置に設けられた構成に比べ、蓋側第２係合部の近くでネジ止めされることになる。このため、ユーザーが携帯機器を誤って落下させた際に、蓋側第２係合部がケース側第２係合部から外れて蓋が開いてしまうことを、より効果的に抑制することができる。
【００１７】
この場合、電池が収容される電池収容部、をさらに備え、蓋は、電池収容部を覆うことが好ましい。
【００１８】
この構成によれば、電池収容部を覆う蓋がネジ止めされるため、ユーザーが携帯機器を誤って落下させた際に、電池が電池収容部から飛び出すことを抑制することができる。
【図面の簡単な説明】
【００１９】
【図１】本発明の一実施形態に係るテープ印刷装置の正面図である。
【図２】電池蓋が取り外された状態のテープ印刷装置の斜視図である。
【図３】電池蓋が装着された状態のテープ印刷装置の斜視図である。
【図４】第２ケースの斜視図である。
【図５】電池ボックスの斜視図である。
【図６】電池蓋の斜視図である。
【図７】図６とは別の角度から見た電池蓋の斜視図である。
【図８】テープ印刷装置の右側面図である。
【図９】蓋固定ネジが締められた状態における、テープ印刷装置の部分断面図である。
【図１０】蓋固定ネジが緩められた状態における、テープ印刷装置の部分断面図である。
【発明を実施するための形態】
【００２０】
以下、本発明の携帯機器およびテープ印刷装置の実施形態について説明する。
【００２１】
携帯機器とは、ユーザーが携帯可能、すなわちユーザーが手で持って或いは身に着けて使用可能な機器を意味する。そのため、携帯機器には、ユーザーが使用中に誤って落下させることが起こり得る。携帯機器の具体例としては、例えば、スマートフォン、デジタルスチルカメラ、ビデオカメラ、リモコン装置、懐中電灯、或いはヘッドマウントディスプレイを挙げることができる。また、携帯機器は、テープ印刷装置であってもよい。
【００２２】
携帯機器は、装置ケースと、蓋と、凸部と、蓋固定ネジと、雌ネジ部材とを備えている。
【００２３】
蓋は、装置ケースにネジ止めされる。蓋は、装置ケースから取り外し可能であってもよく、装置ケースに対してヒンジ等により回転可能に取り付けられていてもよい。また、蓋の材質は、特に限定されるものではなく、例えば、樹脂であってもよく、金属であってもよい。蓋には、蓋固定ネジ挿入孔と、凸部とが設けられている。
【００２４】
蓋固定ネジ挿入孔には、蓋固定ネジが抜けない状態で挿入されている。蓋固定ネジ挿入孔から蓋固定ネジが抜けない状態とする手法は、特に限定されるものではなく、例えば、脱落防止用の止め輪（Ｅリング、ワッシャー等）を用いてもよく、蓋固定ネジ挿入孔の内周面に雌ネジを形成した上で、蓋固定ネジとして脱落防止ネジを用いてもよい。
【００２５】
凸部は、蓋の外面において、蓋固定ネジの頭部の周囲に設けられている。凸部の高さは、蓋固定ネジの頭部の高さよりも高い。より具体的には、凸部の高さは、蓋固定ネジの頭部の高さと、蓋固定ネジの軸方向への移動可能距離と、を足し合わせた寸法よりも、僅かに高いことが好ましい。なお、凸部の高さとは、蓋固定ネジ挿入孔の外面縁部に対する高さを意味する。凸部は、蓋固定ネジ挿入孔の周囲に設けられた１或いは複数の突起により構成されていてもよいが、蓋固定ネジ挿入孔の縁部の強度を補強する点からは、蓋固定ネジ挿入孔をその周方向全体に亘って囲むように設けられていることが好ましい。
【００２６】
蓋固定ネジは、雌ネジ部材と螺嵌することにより、蓋を装置ケースにネジ止めする。蓋固定ネジは、頭部と、周面に雄ネジが形成された胴部とを有する。蓋固定ネジは、蓋固定ネジや雌ネジ部材の寸法公差を吸収すべく、蓋に対して蓋固定ネジの軸方向に僅かに移動可能であることが好ましい。ユーザーがドライバー等の工具を用いて蓋固定ネジを回転させることで、蓋固定ネジの締付け或いは緩ませ作業が行われる。蓋固定ネジの材質は、特に限定されるものではなく、例えば樹脂であってもよいが、強度の点からは金属が好ましい。
【００２７】
雌ネジ部材は、蓋固定ネジと螺嵌する。雌ネジ部材は、蓋固定ネジの回転により蓋固定ネジの軸方向に移動する。雌ネジ部材は、特に限定されるものではなく、例えば、長手方向の一方の端部で揺動可能に支持され、他方の端部に雌ネジ孔が形成された、板状部材であってもよい。また、雌ネジ部材は、後述するように、ナットであってもよい。
【００２８】
本実施形態の携帯機器とは異なり、蓋固定ネジが回転しても雌ネジ部材が蓋固定ネジの軸方向に移動しない構成であると、蓋固定ネジが回転することにより蓋固定ネジが蓋に対して移動するため、蓋固定ネジが緩められた状態では蓋固定ネジの頭部が蓋から離れることになる。この場合、蓋固定ネジの頭部が蓋から離れる分、凸部を高く形成しておけば、蓋固定ネジの頭部が凸部から突出することが抑制される。しかしながら、凸部を高く形成すると、ユーザーが携帯機器を誤って落下させた場合に、凸部が折れやすくなってしまう。これに対し、本実施形態の携帯機器では、蓋固定ネジが回転することにより雌ネジ部材が移動し、蓋固定ネジは蓋に対してほとんど移動しないため、蓋固定ネジが緩められた状態でも、蓋固定ネジの頭部が蓋からあまり離れることがない。このため、凸部を高く形成せずとも、蓋固定ネジの頭部が凸部から突出することが抑制される。
【００２９】
なお、蓋が装置ケースに対してネジ止めされる箇所の数は、１箇所でもよく、複数箇所でもよい。すなわち、蓋固定ネジ、蓋固定ネジ挿入孔および凸部の個数は、１個ずつでもよく、複数個ずつでもよい。
【００３０】
また、雌ネジ部材は、ナットであることが好ましく、携帯機器は、ナットが収容されたナット収容部をさらに備えることが好ましい。そして、ナット収容部は、蓋固定ネジが回転した際に、ナットが蓋固定ネジと連れ回りすることを抑制し、ナットが蓋固定ネジの軸方向へ移動するようにガイドすることが好ましい。なお、ナット収容部の形態は、特に限定されるものではなく、例えば、内周面がナットの外形と略同形でナットの外形より僅かに大きい筒状であってもよく、ナットの二面幅より僅かに大きい溝幅を有する溝状であってもよい。
【００３１】
また、凸部は、携帯機器が載置面に載せ置かれた状態で、載置面と接することが好ましい。なお、載置面は、例えば、机の上面或いは台の上面である。
【００３２】
また、蓋の一の端部には、蓋側第１係合部が設けられ、蓋の一の端部とは反対側の端部には、蓋側第２係合部が設けられていることが好ましい。装置ケースには、蓋側第１係合部と係合するケース側第１係合部と、蓋側第２係合部と係合するケース側第２係合部とが設けられていることが好ましい。蓋側第１係合部およびケース側第１係合部の形態は、特に限定されるものではなく、例えば、一方が突起であり、他方がこれに嵌合する凹部である。蓋側第１係合部およびケース側第１係合部の個数は、特に限定されるものではない。蓋側第２係合部およびケース側第２係合部の形態は、特に限定されるものではなく、例えば、一方がフック片であり、他方がこれに係止するフック受けである。蓋側第２係合部およびケース側第２係合部の個数は、特に限定されるものではない。そして、蓋は、蓋側第１係合部がケース側第１係合部と係合した状態で、蓋側第２係合部がケース側第２係合部と係脱することで、開閉されることが好ましい。
【００３３】
また、携帯機器は、電池が収容される電池収容部を備えたことが好ましい。蓋は、電池収容部を覆うことが好ましい。特に、電池がスライド操作により電池収容部に着脱される場合、携帯機器が落下した際に蓋が開いてしまうと、電池が電池収容部から飛び出しやすいが、蓋がネジ止めされていれば、電池の飛び出しを抑制することができる。蓋が開いて電池収容部から電池が飛び出すと、例えば、建設現場の足場上にいるユーザーが、携帯機器を足場上に落下させた場合には、飛び出した電池が足場上からさらに地上へ向かって落下する可能性がある。この場合、地面に衝突した衝撃で電池が破裂或いは発火したり、重量物である電池が地上にいる人に当たって怪我をさせたりするおそれがある。本構成によれば、そのようなおそれを低減することができる。なお、電池収容部に収容される電池の種類は、特に限定されるものではなく、例えば、乾電池、リチウムイオン電池の他、ニッケル水素電池であってもよい。
【００３４】
以下、添付の図面を参照し、テープ印刷装置Ｐを例として、本発明のテープ印刷装置の実施形態について、より具体的に説明する。なお、以下の図面では、必要に応じて、装置各部の配置関係を明確にするために、ＸＹＺ直交座標系を表示するが、それが本発明を何ら限定するものではないことは、言うまでもない。
【００３５】
図１ないし図３に基づいて、テープ印刷装置Ｐの概要について説明する。テープ印刷装置Ｐは、全体として、長手方向（Ｙ方向）の中間部がくびれた縦長形状を有する。テープ印刷装置Ｐは、このくびれた部分において、−Ｚ側から片手或いは両手で包み込むように持たれ、この状態で、＋Ｚ側に設けられた複数の操作キー２に対する操作が行われる。すなわち、テープ印刷装置Ｐは、手で持った状態で使用可能である。なお、テープ印刷装置Ｐは、載置面Ｆに載せ置かれた状態でも使用可能である（図８参照）。
【００３６】
テープ印刷装置Ｐは、装置ケース１と、複数の操作キー２と、カートリッジ蓋３と、印刷ヘッド４と、電池ボックス５と、電池蓋６を備えている。
【００３７】
装置ケース１は、＋Ｚ側の第１ケース１１と、−Ｚ側の第２ケース１２とを備えている。第１ケース１１および第２ケース１２は、いずれも、樹脂部１ａと、樹脂部１ａの外面の一部を覆うゴム部１ｂとが、二色成形により一体に成形されたものである（図９参照）。ゴム部１ｂは、ユーザーの手からテープ印刷装置Ｐが滑り落ちることを抑制する滑り止めとして機能する。装置ケース１の−Ｙ側の端部には、把持部１３が設けられている。把持部１３は、テープ印刷装置Ｐが持ち運びされる際に、把持される箇所である。
【００３８】
図１に示すように、複数の操作キー２は、装置ケース１の＋Ｚ側の面に設けられている。複数の操作キー２には、印刷される文字を入力するための文字キー、文字キーにより入力された文字に対してフォントサイズ変更等の各種編集を行うための編集キー、印刷を実行するための印刷キーなどが含まれる。
【００３９】
カートリッジ蓋３は、装置ケース１の＋Ｚ側の面に設けられたカートリッジ装着部７を覆う。カートリッジ蓋３は、＋Ｙ側の端部を中心として回転可能に装置ケース１に取り付けられている。カートリッジ蓋３が開かれると、カートリッジ装着部７が現れる。カートリッジ装着部７には、テープカートリッジ（図示省略）が着脱可能に装着される。カートリッジ蓋３の外面には、ディスプレイ８が設けられている。ディスプレイ８は、操作キー２による入力・編集操作中の文字列、各種メッセージなどを表示する。
【００４０】
印刷ヘッド４は、カートリッジ装着部７に設けられている。印刷ヘッド４は、カートリッジ装着部７に装着されたテープカートリッジから繰り出されるテープに対し、操作キー２に対する入力・編集操作結果に基づいて、サーマル方式により印刷を行う。これにより、操作キー２により入力・編集された文字列がテープに印刷される。
【００４１】
カートリッジ装着部７に装着されたテープカートリッジから繰り出され、印刷ヘッド４により印刷が行われたテープは、装置ケース１の−Ｘ側の面に設けられたテープ排出口９から排出される。カートリッジ装着部７とテープ排出口９との間には、カッター（図示省略）が設けられている。カッターは、テープを幅方向に切断する。これにより、テープの印刷済み部分が切り離され、ラベルとなる。
【００４２】
図２に示すように、装置ケース１の−Ｙ側および−Ｚ側の面には、電池開口１４が設けられている。電池開口１４は、電池蓋６により塞がれる（図３参照）。電池開口１４は、第１開口部１４１と、第２開口部１４２とを備えている。第１開口部１４１は、略長方形状を有し、装置ケース１の−Ｚ側の面に設けられている。第２開口部１４２は、第１開口部１４１より小さい略長方形状を有し、第１開口部１４１の−Ｙ側に連なって、装置ケース１の−Ｙ側の面に設けられている。装置ケース１には、第１開口部１４１の＋Ｙ側の縁部に位置して、２つの係合凹部１５が設けられている。係合凹部１５には、電池蓋６の係合突起６３（図７参照）が嵌合する。装置ケース１には、第２開口部１４２の＋Ｚ側の縁部に位置して、フック受け１６が設けられている。フック受け１６には、電池蓋６のフック片６４（図７参照）が係止する。
【００４３】
電池ボックス５は、電池開口１４内に設けられており、電池蓋６が開かれると現れる。電池ボックス５は、３本のボックス固定ネジ５０により、第２ケース１２にネジ止めされている。電池ボックス５は、テープ印刷装置Ｐの電源となるリチウムイオン電池Ｂを、着脱可能に収容する。リチウムイオン電池Ｂは、長手方向をＹ方向と平行にした姿勢で、電池ボックス５に収容される。リチウムイオン電池Ｂは、電池ボックス５に対し、第２開口部１４２を介して、−Ｙ側から着脱される。すなわち、リチウムイオン電池Ｂは、電池ボックス５に対してＹ方向にスライドさせることにより、電池ボックス５に着脱される。電池ボックス５は、図示省略したが、リチウムイオン電池Ｂに代えて、６本の乾電池を、着脱可能に収容することもできる。乾電池は、長手方向をＸ方向と平行にした姿勢で、電池ボックス５に収容される。乾電池は、電池ボックス５に対し、第１開口部１４１を介して、−Ｚ側から着脱される。リチウムイオン電池Ｂは、上記のように、スライド操作により電池ボックス５に着脱され、また重量もあるため、テープ印刷装置Ｐが落下した際に電池蓋６が開いてしまうと、乾電池に比べ、電池ボックス５から飛び出しやすい。
【００４４】
なお、テープ印刷装置Ｐは、アダプター差込口１８（図８参照）に差し込まれたＡＣアダプターを介し、商用電源から電源供給を受けて、作動したり、リチウムイオン電池Ｂの充電を行ったりすることができる。
【００４５】
図３に示すように、電池蓋６は、電池ボックス５を覆う。電池蓋６は、蓋固定ネジ６０により、装置ケース１にネジ止めされる。ユーザーは、ドライバー等の工具を用いて、蓋固定ネジ６０を締めたり緩めたりすることができる。蓋固定ネジ６０が締められると、第２ケース１２に設けられたナット１２０（図９参照）と螺嵌する。これにより、電池蓋６が第２ケース１２に対してネジ止めされる。
【００４６】
電池蓋６は、第１蓋部６１と、第２蓋部６２とを備えている。第１蓋部６１と第２蓋部６２とは、樹脂により一体に成形されている。第１蓋部６１は、第１開口部１４１を塞ぐ。第１蓋部６１の先端、すなわち＋Ｙ側の端部には、２つの係合突起６３が設けられている（図７参照）。第２蓋部６２は、第１蓋部６１の基端側すなわち−Ｙ側の端部から、＋Ｚ側に屈曲して連なり、第２開口部１４２を塞ぐ。第２蓋部６２の先端、すなわち＋Ｚ側の端部には、フック片６４が設けられている（図７参照）。電池蓋６は、２つの係合突起６３が２つの係合凹部１５と嵌合した状態で、フック片６４がフック受け１６と係脱することにより、開閉される。電池蓋６は、フック片６４がフック受け１６から外れた後、２つの係合突起６３が２つの係合凹部１５から外れることにより、装置ケース１から取り外すことも可能である。
【００４７】
なお、装置ケース１の−Ｚ側の面には、＋Ｙ側の端部の近くに、２つのケース側凸部１７が略台形状に突出して設けられている。２つのケース側凸部１７は、互いにＸ方向に離間して設けられている。ケース側凸部１７により、テープ印刷装置Ｐが載置面Ｆに載せ置かれた場合に、装置ケース１の＋Ｚ側の面が、載置面Ｆに対して所定の角度（例えば略６度）を為す（図８参照）。これにより、操作キー２に対する操作性およびディスプレイ８の視認性が向上する。ケース側凸部１７は、その先端面に先端突起１７１を有している。先端突起１７１は、テープ印刷装置Ｐが載置面Ｆに載せ置かれた場合に、載置面Ｆと接する箇所となる。先端突起１７１は、ゴム部１ｂにより構成されている。
【００４８】
図４に基づいて、第２ケース１２について説明する。第２ケース１２には、上述したように、第１開口部１４１および第２開口部１４２を有する電池開口１４が設けられている（図４では第２開口部１４２が見えない位置にある）。第２ケース１２には、略長方形状を有する第１開口部１４１の４つの角部のうち、＋Ｘ側且つ−Ｙ側の角部に位置して、蓋固定ネジ貫通孔１２１が設けられ、残りの３つの角部に位置して、ボックス固定ネジ貫通孔１２２が設けられている（図４では３つのボックス固定ネジ貫通孔１２２のうちの１つが見えない位置にある）。蓋固定ネジ貫通孔１２１は、バカ孔であり、蓋固定ネジ貫通孔１２１には、蓋固定ネジ６０が挿入される。ボックス固定ネジ貫通孔１２２は、バカ孔であり、ボックス固定ネジ貫通孔１２２には、ボックス固定ネジ５０が挿入される。
【００４９】
第２ケース１２の内面には、蓋固定ネジ貫通孔１２１の周囲に、ナット収容部１２３が略六角筒状に突出して設けられている。ナット収容部１２３には、蓋固定ネジ６０が螺嵌するナット１２０（図９参照）が収容されている。ナット収容部１２３は、内周面がナット１２０の外形（略六角形）と略同形でナットの外形より僅かに大きい筒状に形成されている。ナット収容部１２３は、蓋固定ネジ６０が回転した際に、ナット１２０が蓋固定ネジ６０と連れ回りすることを抑制し、ナット１２０が蓋固定ネジ６０の軸方向へ移動するようにガイドする。蓋固定ネジ６０が締められると、ナット１２０が、蓋固定ネジ貫通孔１２１の縁部に突き当たるまで、電池蓋６に近づく方向に移動する（図９参照）。一方、蓋固定ネジ６０が緩められると、ナット１２０が、ナット収容部１２３の先端側に設けられたボス部５３（後述する）に突き当たるまで、電池蓋６から離れる方向に移動する（図１０参照）。
【００５０】
図５に基づいて、電池ボックス５について説明する。電池ボックス５は、ボックス部５１と、庇状板部５２と、４つのボス部５３とを備えている。ボックス部５１、庇状板部５２および４つのボス部５３は、樹脂により一体に成形されている。
【００５１】
ボックス部５１は、−Ｙ側および−Ｚ側が開放された箱状に形成されている。ボックス部５１の内面には、リチウムイオン電池Ｂ用のバッテリー端子５４と、乾電池用のプラス端子５５およびマイナス端子５６とが設けられている。
【００５２】
庇状板部５２は、ボックス部５１の−Ｚ側の開放部のうち、＋Ｙ側の端部を塞ぐように設けられている。庇状板部５２は、リチウムイオン電池Ｂが誤って−Ｚ側から装着されることを阻止する。
【００５３】
４つのボス部５３は、ボックス部５１の４つの角部に位置して、設けられている。ボス部５３は、略円筒状を有し、その内周面には雌ネジが形成されている。
【００５４】
４つのボス部５３のうち、＋Ｘ側且つ−Ｙ側の角部に設けられたボス部５３は、第２ケース１２の蓋固定ネジ貫通孔１２１に対応している。すなわち、このボス部５３は、蓋固定ネジ貫通孔１２１の周囲に突出して設けられたナット収容部１２３の先端との間に、僅かな間隙を存して設けられている。このため、ナット収容部１２３に収容されたナット１２０は、蓋固定ネジ６０が緩められると、ボス部５３の先端に突き当たるまで、ナット収容部１２３の先端側に移動する（図１０参照）。
【００５５】
４つのボス部５３のうち、＋Ｘ側且つ−Ｙ側の角部に設けられたボス部５３を除く３つのボス部５３は、第２ケース１２の３つのボックス固定ネジ貫通孔１２２に対応している。すなわち、これら３つのボス部５３には、ボックス固定ネジ５０が、ボックス固定ネジ貫通孔１２２を介して螺嵌する。このボックス固定ネジ５０により、電池ボックス５が第２ケース１２にネジ止めされる。
【００５６】
図６および図７に基づいて、電池蓋６および蓋固定ネジ６０について説明する。電池蓋６は、上述したように、第１蓋部６１と第２蓋部６２とを備えている。第１蓋部６１の＋Ｘ側且つ−Ｙ側の隅部には、蓋固定ネジ挿入孔６７（図９参照）が設けられている。
【００５７】
蓋固定ネジ挿入孔６７には、蓋固定ネジ６０が、蓋固定ネジ挿入孔６７から抜け落ちない状態で挿入されている。蓋固定ネジ６０は、頭部６０１と、雄ネジが周面に形成された胴部６０２とを備えている。蓋固定ネジ６０は、Ｅリング６９により、蓋固定ネジ挿入孔６７から抜けない状態となっている。蓋固定ネジ６０の胴部６０２には、Ｅリング６９が嵌合するリング溝６０３が設けられている。蓋固定ネジ挿入孔６７の内面縁部には、ザグリ部６８が設けられている。このザグリ部６８に、Ｅリング６９が埋め込まれる。蓋固定ネジ６０は、蓋固定ネジ６０やナット１２０の寸法公差を吸収すべく、電池蓋６に対して蓋固定ネジ６０の軸方向に僅かに移動可能となっている。すなわち、蓋固定ネジ６０は、頭部６０１が蓋固定ネジ挿入孔６７の外面縁部と接する位置（図９参照）と、リング溝６０３に嵌合したＥリング６９がザグリ部６８に埋め込まれる位置（図１０参照）と、の間で移動可能である。
【００５８】
第１蓋部６１の外面には、蓋固定ネジ挿入孔６７に挿入された蓋固定ネジ６０の頭部６０１の周囲に、第１蓋側凸部６５が設けられている。第１蓋側凸部６５により、蓋固定ネジ６０の頭部６０１が、電池蓋６の近接する物に当たって、その物にキズを付けることが抑制される。また、第１蓋側凸部６５は、蓋固定ネジ挿入孔６７をその周方向全体に亘って囲むように、略短円筒状に突出して設けられている。これにより、蓋固定ネジ挿入孔６７の縁部の強度が補強される。なお、第１蓋部６１の外面には、第１蓋部６１の−Ｘ側且つ−Ｙ側の隅部に位置して、第１蓋側凸部６５と同様に略短円筒状に突出した、第２蓋側凸部６６が設けられている。
【００５９】
第１蓋側凸部６５の高さｈ１は、蓋固定ネジ６０の頭部６０１の高さｈ２と、蓋固定ネジ６０の軸方向への移動可能距離と、を足し合わせた寸法よりも、僅かに高くなっている（図９および図１０参照）。このため、蓋固定ネジ６０の頭部６０１が電池蓋６から最も離れた状態、すなわち、リング溝６０３に嵌合したＥリング６９がザグリ部６８に埋め込まれる位置に蓋固定ネジ６０が移動した状態でも、蓋固定ネジ６０の頭部６０１が第１蓋側凸部６５から突出することがない。
【００６０】
図８示すように、第１蓋側凸部６５および第２蓋側凸部６６は、テープ印刷装置Ｐが載置面Ｆに載せ置かれた際に、上記の２つの先端突起１７１と共に、載置面Ｆと接する。なお、第１蓋側凸部６５および第２蓋側凸部６６は、樹脂製であるため、載置面Ｆに対して滑りやすくなっているが、先端突起１７１は、ゴム部１ｂにより構成されており、テープ印刷装置Ｐの重心は先端突起１７１が設けられた＋Ｙ側に寄っているため、テープ印刷装置Ｐ全体としては、載置面Ｆに対して滑りにくくなっている。もちろん、第１蓋側凸部６５および第２蓋側凸部６６を先端突起１７１と同様に載置面Ｆに対して滑りにくくしてもよい。
【００６１】
図９および図１０に基づいて、電池蓋６のネジ止め構造について説明する。蓋固定ネジ６０が緩められた状態から締められると、頭部６０１が電池蓋６に近づく方向に蓋固定ネジ６０が移動し、蓋固定ネジ６０がナット収容部１２３に収容されたナット１２０と螺嵌する。蓋固定ネジ６０の頭部６０１が蓋固定ネジ挿入孔６７の外面縁部に突き当たると、蓋固定ネジ６０と螺嵌したナット１２０が、蓋固定ネジ貫通孔１２１の縁部に突き当たるまで、電池蓋６に近づく方向に移動する（図９参照）。
【００６２】
一方、蓋固定ネジ６０が締められた状態から緩められと、蓋固定ネジ６０と螺嵌したナット１２０が電池蓋６から離れる方向に移動する。ナット１２０がボス部５３に突き当たると、Ｅリング６９がザグリ部６８に埋め込まれる位置まで、頭部６０１が電池蓋６から離れる方向に蓋固定ネジ６０が移動し、蓋固定ネジ６０とナット１２０との螺嵌が解除される（図１０参照）。
【００６３】
蓋固定ネジ６０が緩められた状態から、電池蓋６が開かれた後、電池蓋６が閉じられると、電池蓋６に設けられた蓋固定ネジ６０は、蓋固定ネジ貫通孔１２１に挿入される。そして、ナット１２０が電池蓋６から離れた位置に移動しているため、電池蓋６が閉じる前に、電池蓋６に設けられた蓋固定ネジ６０の先端が、ナット１２０に当たることが抑制される。そして、電池蓋６が閉じた状態では、蓋固定ネジ６０が締められていなくても、蓋固定ネジ６０の頭部６０１は、第１蓋側凸部６５から突出してはいない。
【００６４】
以上のように、本実施形態のテープ印刷装置Ｐによれば、装置ケース１と、装置ケース１にネジ止めされた電池蓋６と、蓋固定ネジ６０と、第１蓋側凸部６５と、ナット１２０とを備える。電池蓋６には、蓋固定ネジ挿入孔６７が設けられている。蓋固定ネジ６０は、蓋固定ネジ挿入孔６７から抜け落ちない状態で、蓋固定ネジ挿入孔６７に挿入されている。第１蓋側凸部６５は、電池蓋６の外面において、蓋固定ネジ６０の頭部６０１の周囲に設けられている。第１蓋側凸部６５の高さｈ１は、蓋固定ネジ６０の頭部６０１の高さｈ２よりも高い。ナット１２０は、蓋固定ネジ６０の回転により蓋固定ネジ６０の軸方向に移動する。
【００６５】
この構成によれば、ナット１２０が、蓋固定ネジ６０の回転により蓋固定ネジ６０の軸方向に移動するため、蓋固定ネジ６０が緩められた状態では、蓋固定ネジ６０が締められた状態に比べ、ナット１２０が電池蓋６から離れた位置に移動している。これにより、ユーザーが蓋固定ネジ６０を締めることなく電池蓋６を閉じる際に、電池蓋６が閉じる前に蓋固定ネジ６０の先端がナット１２０に当たることが抑制され、電池蓋６を閉じることができる。また、ナット１２０が、蓋固定ネジ６０の回転により蓋固定ネジ６０の軸方向に移動するため、蓋固定ネジ６０が緩められた状態でも、蓋固定ネジ６０の頭部６０１が電池蓋６からあまり離れることがない。このため、ユーザーが蓋固定ネジ６０を締めることなく電池蓋６を閉じた場合に、蓋固定ネジ６０の頭部６０１が第１蓋側凸部６５から突出することが抑制される。したがって、ユーザーが蓋固定ネジ６０を締めない場合にも、蓋固定ネジ６０の頭部６０１が第１蓋側凸部６５から突出しない状態で、電池蓋６を閉じることができる。ゆえに、テープ印刷装置Ｐを落下させるおそれの少ない態様、例えばテープ印刷装置Ｐを机の上面等の載置面Ｆに載せ置いた状態でテープ印刷装置Ｐを使用する場合には、ユーザーは蓋固定ネジ６０を締めることなく電池蓋６を閉じるだけでもよい。そのため、リチウムイオン電池Ｂと乾電池との交換等のために電池蓋６を開閉するたびに蓋固定ネジ６０を緩めたり締めたりする必要がなく、利便性を向上させることができる。また、ユーザーが蓋固定ネジ６０を締めることなく電池蓋６を閉じた場合に、蓋固定ネジ６０の頭部６０１が第１蓋側凸部６５から突出することが抑制されるため、蓋固定ネジ６０の頭部６０１が電池蓋６の近接する物に当たって、その物にキズを付けることを抑制することができる。
【００６６】
さらに、第１蓋側凸部６５を高く形成せずとも、蓋固定ネジ６０の頭部６０１が第１蓋側凸部６５から突出することが抑制されるため、ユーザーがテープ印刷装置Ｐを誤って落下させた場合に、第１蓋側凸部６５が折れることを抑制することができる。また、蓋固定ネジ６０が回転することによりナット１２０が移動し、蓋固定ネジ６０は電池蓋６に対してほとんど移動しないため、その分、蓋固定ネジ６０を短くすることができる。そのため、ユーザーがテープ印刷装置Ｐを誤って落下させた場合に、蓋固定ネジ６０が曲がることを抑制することができる。
【００６７】
また、本実施形態のテープ印刷装置Ｐは、ナット１２０が収容されたナット収容部１２３をさらに備える。ナット収容部１２３は、蓋固定ネジ６０が回転した際に、ナット１２０が蓋固定ネジ６０と連れ回りすることを抑制し、ナット１２０が蓋固定ネジ６０の軸方向へ移動するようにガイドする。
この構成によれば、簡易な構成により、ナット１２０が、蓋固定ネジ６０の回転により蓋固定ネジ６０の軸方向に移動するようにすることができる。
【００６８】
また、本実施形態のテープ印刷装置Ｐでは、第１蓋側凸部６５は、テープ印刷装置Ｐが載置面Ｆに載せ置かれた状態で、載置面Ｆと接する。
この構成によれば、ユーザーが蓋固定ネジ６０を締めることなく電池蓋６を閉じた後、テープ印刷装置Ｐを載置面Ｆに載せ置いた場合に、蓋固定ネジ６０の頭部６０１が載置面Ｆに当たって載置面Ｆにキズを付けることを抑制することができる。
【００６９】
また、本実施形態のテープ印刷装置Ｐでは、電池蓋６の一の端部には、２つの係合突起６３が設けられ、電池蓋６の一の端部とは反対側の端部には、フック片６４が設けられている。装置ケース１には、２つの係合突起６３と係合する２つの係合凹部１５と、フック片６４と係合するフック受け１６とが設けられている。電池蓋６は、２つの係合突起６３が２つの係合凹部１５と係合した状態で、フック片６４がフック受け１６と係脱することで、開閉される。
この構成によれば、蓋固定ネジ６０を締めなくても、電池蓋６が閉じた状態に保つことができる。
【００７０】
また、本実施形態のテープ印刷装置Ｐでは、電池蓋６が、先端に２つの係合突起６３が設けられた第１蓋部６１と、第１蓋部６１の基端側に連なり、先端にフック片６４が設けられた第２蓋部６２とを有する。蓋固定ネジ挿入孔６７は、第１蓋部６１において、先端よりも基端に近い位置に設けられている。
この構成によれば、蓋固定ネジ挿入孔６７が第１蓋部６１の基端よりも先端に近い位置に設けられた構成に比べ、フック片６４の近くでネジ止めされることになる。このため、ユーザーがテープ印刷装置Ｐを誤って落下させた際に、フック片６４がフック受け１６から外れて電池蓋６が開いてしまうことを、より効果的に抑制することができる。
【００７１】
また、本実施形態のテープ印刷装置Ｐは、リチウムイオン電池Ｂや乾電池が収容される電池ボックス５を備え、電池蓋６は、電池ボックス５を覆う。
この構成によれば、電池ボックス５を覆う電池蓋６がネジ止めされるため、ユーザーがテープ印刷装置Ｐを誤って落下させた際に、リチウムイオン電池Ｂや乾電池が電池ボックス５から飛び出すことを抑制することができる。
【００７２】
また、本実施形態のテープ印刷装置Ｐは、テープに印刷を行う印刷ヘッド４を備える。
この構成によれば、テープに文字等が印刷されたラベルを作成することができる。
【００７３】
なお、印刷ヘッド４は、「印刷部」の一例である。電池ボックス５は、「電池収容部」の一例である。係合凹部１５は、「ケース側第１係合部」の一例である。フック受け１６は、「ケース側第２係合部」の一例である。係合突起６３は、「蓋側第１係合部」の一例である。フック片６４は、「蓋側第２係合部」の一例である。ナット１２０は、「雌ネジ部材」の一例である。
本発明は上記した実施形態に限定されず、その趣旨を逸脱しない範囲で種々の構成を採用可能であることは言うまでもない。例えば、本実施形態は、以下のような形態に変更することができる。
【００７４】
第１蓋側凸部６５（第１開口部１４１の＋Ｘ側且つ−Ｙ側の角部）の１箇所で、電池蓋６を第２ケース１２にネジ止めするだけでなく、例えば、第１蓋側凸部６５と第２蓋側凸部６６（第１開口部１４１の−Ｘ側且つ−Ｙ側の角部）との２箇所で、電池蓋６を第２ケース１２にネジ止めしてもよい。これにより、第２ケース１２に対する電池蓋６のネジ止め強度が向上する。もっとも、この場合、第１開口部１４１の−Ｘ側且つ−Ｙ側の角部で、電池ボックス５を第２ケース１２にネジ止めすることが困難となる。その結果、第１開口部１４１の残りの２つの角部の２箇所で、電池ボックス５を第２ケース１２にネジ止めすることになるため、第２ケース１２に対する電池ボックス５の取付強度が低下する。ゆえに、電池蓋６のネジ止め強度と、電池ボックス５の取付強度とのバランスを考慮して、電池蓋６をネジ止めする箇所の数を決定することが好ましい。
【００７５】
また、電池蓋６は、第１蓋部６１においてネジ止めされる構成に限定されるものではなく、第２蓋部６２においてネジ止めされる構成であってもよい。すなわち、第２蓋部６２に蓋固定ネジ挿入孔６７を設けてもよい。
【００７６】
電池蓋６と同様に、カートリッジ蓋３を、装置ケース１にネジ止めしてもよい。すなわち、本発明の携帯機器における蓋のネジ止め構造を、カートリッジ蓋３に適用してもよい。
【００７７】
第１蓋部６１の外面には、第１蓋側凸部６５および第２蓋側凸部６６が設けられているとしたが、本発明はこれに限定されない。第１蓋側凸部６５および第２蓋側凸部６６の代わりに載置面Ｆと接する凸部を、第２ケース１２の−Ｚ側、具体的には、第１開口部１４１の周囲に設けてもよい。代わりとなる凸部の高さは、第１蓋側凸部６５の高さｈ１より高くすればよく、また、第１蓋側凸部６５を設けない場合は、蓋固定ネジ６０の頭部６０１の高さｈ２よりも高くすればよい。
【符号の説明】
【００７８】
１ａ…樹脂部、１ｂ…ゴム部、６…電池蓋、１２…第２ケース、５０…ボックス固定ネジ、５３…ボス部、６０…蓋固定ネジ、６５…第１蓋側凸部、６７…蓋固定ネジ挿入孔、６８…ザグリ部、６９…Ｅリング、１２０…ナット、１２１…蓋固定ネジ貫通孔、１２３…ナット収容部、６０１…頭部、６０２…胴部、ｈ１…第１蓋側凸部の高さ、ｈ２…蓋固定ネジの頭部の高さ
【図１】
2017222115.tif 000003
【図２】
2017222115.tif 000004
【図３】
2017222115.tif 000005
【図４】
2017222115.tif 000006
【図５】
2017222115.tif 000007
【図６】
2017222115.tif 000008
【図７】
2017222115.tif 000009
【図８】
2017222115.tif 000010
【図９】
2017222115.tif 000011
【図１０】
2017222115.tif 000012